(57)【要約】本発明は、プラスチックの廃棄物バッグ（２）が配置されている容器（１）を備える廃棄物収集装置であって、上記容器（１）の上部内に位置するコンパートメント（４）内に位置するプラスチック・バッグを形成するように設計されたエンベロープ（２１）を駆動するための手段（６１，６２）を備え、収容コンパートメント（４）から上記容器（１）の底部（１１）に上記バッグ内の廃棄物を廃棄するための手段（６１，６２）と、好適には加熱密封および高温切断であることが好ましい、上記コンパートメント（４）から出てくる上記エンベロープを密封および切断し、次にバッグが廃棄物（２０）で満たされた場合、上記エンベロープの残りから上記バッグ（２）を切り離すための密封および切断のための手段（１０１，１０２）とを備えることを特徴とする。本発明の廃棄物収集装置は、また、廃棄物を含むバッグを突き固めるための手段（１４１，１４２）、および上記収集装置の上部により、そこを通して廃棄物が導入される中央オリフィスを開閉するための手段（１８４）を含むことができる。
2005534586.tif 000002
【特許請求の範囲】
【請求項１】
プラスチック・ビン・ライナー・バッグ（２）が設置されている容器（１）を備える廃棄物収集装置であって、
バッグ（２）を形成するための外装またはソックスの形状をなし、プラスチック・フィルムにより形成される被覆（２１）を収容し、同被覆（２１）が、好適には、折り畳んだ形で内蔵され、かつ前記容器（１）の頂部に、好ましくは容器（１）の内部に位置している収容コンパートメント（４）と、
前記バッグを形成するために、容器（１）内の収容コンパートメント（４）から、好適には、容器（１）の底部（１１）へ被覆を供給するのに適している駆動手段（６１，６２）と、
好適には、被覆（２１）を密封し、切断するために、加熱密封および高温切断により動作し、コンパートメント（４）から出てくる被覆からバッグ（２）を形成することができ、その後で、前記バッグ（２）が廃棄物（２０）により満杯になった場合、バッグ（２）を閉じ、被覆の残りの部分から切り離すことができることが好ましい密封および切断手段（１０１，１０２）とを備え、
前記収容コンパートメント（４）が、廃棄物（２０）をバッグ（２）内に導入することができる容器（１）の頂部中央オリフィス（１２）を形成するように配置され、
前記装置が、
さらに、バッグ（２）内に廃棄物（２０）を導入することができる容器（１）の頂部内の前記中央オリフィス（１２）を開閉するための手段（１７，１８１，１８２）を備え、前記中央オリフィス（１２）の開放運動が、同中央オリフィス上である種の廃棄物のような物品が検出された場合にトリガされ、中央オリフィス（１２）が、その上の廃棄物（２０）が導入される２つの場合の間は閉鎖状態に維持され、中央オリフィスを開閉するための手段（１７，１８１，１８２）が駆動手段（６１，６２）上に位置していていることと、
前記駆動手段（６１，６２）が、下記の目的、すなわち、
前記被覆の開いた２つの縁部と接触することなく、廃棄物を内部に導入することができるバッグの頂部縁部内に開口部を形成する、非係合位置に位置させることと、
前記バッグは運搬可能である、運搬が所望される場合には容器の底部に下降させることができるように容器の中央領域内の前記コンパートメントから出てくる前記プラスチック・フィルム被覆を捕捉するのに移動するのに適していることとを特徴とする装置。
【請求項２】
前記駆動手段（６１，６２）が収容コンパートメント（４）の下の容器内に位置する第１のローラ（６１，６２）により構成され、前記収容コンパートメント（４）が、そこを通して廃棄物（２０）を前記バッグ（２）内に導入することができる容器（１）の頂部中央オリフィス（１２）を形成するように、前記容器（１）の内部周辺部に対向して位置していて、前記第１のローラ（６１，６２）が容器（１）の中央領域内のコンパートメント（４）から出てくるプラスチック・フィルム被覆（２１）を捕捉するまで、前記容器（１）の２つの対向側面（１３，１４）から移動するのに適していて、前記第１のローラ（６１，６２）を回転することにより、バッグを駆動し、容器（１）の底部（１１）に下降させることができることを特徴とする、請求項１〜３のいずれか１項に記載の装置。
【請求項３】
前記第１のローラ（６１，６２）が、相互に水平方向を向いて前記容器（１）の２つの対向側面（１３，１４）に対してまたは近くに平行に配置され、その水平軸に垂直な方向に、前記バッグの頂部縁部と接触しないで、前記中央開口オリフィス（１）を通して、前記バッグ内に廃棄物を導入することができる係合から外れた位置から、前記第１のローラが前記被覆を捕捉し、それを駆動することができ、そうしたい場合には閉じることができる前記容器の中心に向かう閉鎖位置に、水平方向に並進しながら機械的に移動するのに適していることを特徴とする、請求項１に記載の装置。
【請求項４】
前記密封および切断手段（１０１，１０２）が
ａ）前記バッグ（２）を前記容器（１）の底部（１１）に下降させる前に、前記バッグ（２）の底部を形成するために、前記収容コンパートメント（４）から出てくるソックスの形をしている前記被覆（２１）の開放縁部を閉じる工程と、
ｂ）廃棄物（２０）で完全にまたは一部が満たされているバッグ（２）を閉じる工程と、
ｃ）好適には、廃棄物で満杯の前記バッグの頂部縁部の密封閉鎖部に対応するゾーン上で前記プラスチック・フィルム被覆を切断することにより閉鎖後に前記バッグ（２）を切り離す工程と、
ｄ）好適には、取り出すための廃棄物で満杯の前記バッグ内にハンドル（２１）を形成するために、前記閉鎖ゾーン上で前記バッグ（２）の頂縁部の一部を貫通する工程と、
ｅ）工程ｃ）で説明した前記切離し切断に対応するゾーン上で、またはそうしたい場合には、工程ｄ）で説明した前記ハンドル（２１）上で、加熱密封により、前記コンパートメント（４）から出てくる被覆の縁部の底端部を閉鎖する工程と
を実行することができることを特徴とする、請求項１〜３のいずれか１項に記載の装置。
【請求項５】
前記駆動手段（６１，６２）および前記密封および切断手段（１０１，１０２）が、前記容器（１）の頂部に位置していて、前記バッグ（２）を前記容器（１）の底部（１１）に下降する前に、およびそうしたい場合には、工程ｂ）の前記満杯のバッグの頂縁部の前記閉鎖後または閉鎖と同時に、およびそうしたい場合には、工程ｃ）およびｄ）の前記切断の後で、前記工程ａ）およびｅ）で前記バッグ（２）の底部を閉じるために、前記プラスチック・フィルムを密封することができるような方法で協力するのに適していることを特徴とする、請求項４に記載の装置。
【請求項６】
前記加熱密封および高温切断手段（１０１，１０２）が、前記工程ａ）〜ｅ）を同時に行うのに適していて、好適には、平行に相互の方を向いていて、前記容器（１）の２つの対向側面（１３，１４）から前記容器の中央領域に移動させ、前記２つの加熱密封および高温切断プレート（１０１，１０２）間に前記プラスチック・フィルム被覆（２１）を捕捉するのに適していることを特徴とする、請求項１〜５に記載の装置。
【請求項７】
前記加熱密封および高温切断プレート（１０１，１０２）が、それぞれ前記第１の駆動ローラ（６１，６２）の下に設置され、前記容器（１）の底部（１１）のところに前記バッグを設置することができるように、前記第１の２つの駆動ローラ（６１，６２）が回転した場合に、前記加熱密封および高温切断プレート（１０１，１０２）が、前記バッグ（２）が通過し、その間を下降することができるように間隔を置いて位置するように、相互に協力するのに適していることを特徴とする、請求項５および６に記載の装置。
【請求項８】
前記加熱密封および高温切断プレート（１０１，１０２）が、それぞれ前記第１の駆動ローラ（６１，６２）の下に配置され、それに固定されていて、これらのプレートが前記被覆を捕捉している位置にある時、前記２つのプレート（１０１，１０２）間に挟まれている前記被覆（２１）の前記加熱密封および高温切断を行うために、前記加熱密封および前記高温切断プレート（１０１，１０２）が、前記容器（１）の中心で相互に依然として移動することができるように、柔軟な方法で装着されていることを特徴とする、請求項７に記載の装置。
【請求項９】
廃棄物（２０）でその一部または全体が満たされた場合、前記バッグ（２）を形成している前記フィルムに対して圧力を加えるのに適している突固め手段（１４１，１４２）を含み、前記圧力が前記バッグの外側に加えられることを特徴とする、請求項１〜８に記載の
装置。
【請求項１０】
前記突固め手段が、前記加熱密封および高温切断手段（１０１，１０２）の下に位置していて、前記容器（１）の前記各対向側面（１３，１４）に対して前記バー（１４１，１４２）が配置されている休止位置から、前記バー（１４１，１４２）の頂端部が、前記容器（１）の中心領域に到着するまで、前記容器（１）の前記各対向側面（１３，１４）に固定されているその底端部のところに位置する前記ピボット軸（１４３，１４４）を中心にしてピボット回転により行き着く傾斜位置に、ピボット回転するのに適しているピボット装着の突固めバー（１４１，１４２）を備えることを特徴とする、請求項９に記載の装置。
【請求項１１】
前記突固め手段（１４１，１４２）が、前記バッグ（２）が、半分以上満たされた場合に、すぐ、好適には、前記バッグ（２）内に廃棄物（２０）が新たに導入される度に、光電池またはセンサにより自動的に作動し、次にバッグ（２）が満杯になった場合に、前記突固め手段（１４１，１４２）が、前記満杯になったバッグを閉じ、そうしたい場合には、前記バッグを切り離すために、前記加熱密封および／または高温切断の後まで突固め位置に維持されることを特徴とする、請求項９または１０に記載の装置。
【請求項１２】
前記突固め手段のアーム（１４１，１４２）が、前記突固め手段のストリップ（１４１，１４１）が、前記突き固めていない廃棄物（２０）で満たされた前記バッグ（２）と遭遇した場合、前記突固め手段のストリップが変形し、それにより前記プラスチック・バッグが損傷するのを防止し、前記突固め手段のストリップの前記ピボット回転運動が、所定の突固め圧力に対応する抵抗に遭遇した場合に中断されるように、硬質のフレーム（１４５）を横切って延びる柔軟なまたは準硬質のストリップを含むことを特徴とする、請求項８または９に記載の装置。
【請求項１３】
そこを通して前記バッグ（２）内に廃棄物（２０）が導入される前記容器（１）の頂部内の中央オリフィス（１２）を開閉するための手段（１７，１８１，１８２）を含み、前記開閉手段（１７）が、廃棄物（２０）が導入される間の２つの場合の間前記容器（１）が閉鎖状態に維持されるように、また廃棄物（２０）のような物品が、前記中央オリフィス（１２）に対応する位置上に存在する場合、前記中央オリフィス（１２）を開くために、光電池またはセンサにより自動的に制御されることを特徴とする、請求項１〜１２のいずれか１項に記載の装置。
【請求項１４】
前記開閉手段（１７）が、前記収容コンパートメント（４）上の前記容器（１）の２つの対向側面（１５，１６）に対してそれぞれ配置されている２つの第２のローラ（１８１，１８２）間に巻かれた移動ストリップを備え、前記第２のローラ（１８１，１８２）が回転すると、前記ストリップ（１７）が移動することと、前記移動ストリップが、好適には、前記中央オリフィス（１２）とほぼ同じ形をしていることが好ましい開口部を含んでいるために、前記開放運動が、前記中央オリフィス（１２）と一致すると、前記容器が開いて、廃棄物（２０）を導入することができ、前記ストリップ（１７）の中実部分が、前記頂部の中央オリフィス（１２）を完全にカバーすると、前記容器が閉まり、それにより前記廃棄物が前記容器（１）内に閉じ込められることとを特徴とする、請求項１３に記載の装置。
【請求項１５】
前記バッグ（２）が、ボックス（３）内の前記容器（１）の底部（１１）の正しい位置に置かれ、前記ボックス（３）が、前記容器（１）の側面（１５）のうちの１つの少なくとも底部（３１）に固定され、前記ボックスが、前記ボックス（３）に固定されている容器（１）の側面（１３，１４）の前記底部を引っ張ることにより、前記バッグ（２）を取り出すことができるスライダ手段上に位置することを特徴とする、請求項１〜１４のいずれ
か１項に記載の装置。
【請求項１６】
下記の種々の工程、すなわち、
１）前記中央オリフィス（１２）を開閉する工程と、
２）前記容器（１）の底部（１１）の正しい位置に置くために、前記バッグ（２）を形成するために前記プラスチック・フィルム被覆（２１）を駆動する工程と、
３）前記突固め手段（１４１，１４２）により前記突固め工程を行う工程と、
４）前記密封および切断手段（１０１，１０２）により前記密封および切断工程を行う工程と、
５）バッグ（２）が前記容器（１）から取り出された場合に、前記工程を中断する工程と
を前記光電池またはセンサから受信する情報の関数として制御し、同期することができる電子手段（２２）を備えることを特徴とする、請求項１〜１５のいずれか１項に記載の装置。
【請求項１７】
請求項１〜１６のいずれか１項に記載の装置により廃棄物を収集するための方法。
【請求項１８】
下記の工程、すなわち、
１）前記密封および切断手段（１０１，１０２）により、前記バッグの底部を形成するために前記被覆を密封および切断する工程と、
２）前記駆動手段（６１，６２）により、好適には、前記容器の底部に、前記容器の内部で前記バッグを駆動する工程と、
３）前記駆動手段が、廃棄物をその中に導入することができる、前記バッグの頂縁部のところに開口部を形成する係合から外れた位置に前記駆動手段を置く工程と、
４）前記中央オリフィス（１２）上で廃棄物を検出した場合はいつでも、前記開閉手段（１７，１８１，１８２）により前記中央オリフィス（１２）を開く工程と、
５）前記開いている中央オリフィス（１２）を通して前記廃棄物を導入し、前記バッグの底部に収集する工程と、
６）工程２）で開いている前記中央オリフィス（１２）を通して前記廃棄物が導入された直後に、中央オリフィス（１２）を開閉するために、前記手段（１７，１８１，１８２）により前記中央オリフィス（１２）を閉じる工程と、
７）そうしたい場合には、前記突固め手段（１４１，１４２）により前記バッグを突き固める工程と、
８）廃棄物で満杯になった場合に、前記密封および切断手段（１０１，１０２）により前記バッグの頂縁部を密封および切断する工程と、
９）そうしたい場合には、前記容器から前記バッグを取り出す工程と
を同時に連続的に行うことを特徴とする、請求項１７に記載の方法。
【発明の詳細な説明】
【技術分野】
【０００１】
本発明は、プラスチック・ビン・ライナー・バッグが設置されている容器を備えている、廃棄物を収集するための装置に関する。
より詳細に説明すると、本発明は、家庭用または業務用に使用するための廃棄物を収集し包装する作業を容易にし、また簡単にするための、またより詳細には、このような使用の快適さおよび衛生面を改善するための廃棄物を収集し、包装するための装置に関する。
【０００２】
もっと正確に説明すると、本発明は、プラスチック・ビン・ライナー・バッグが設置されている容器を備えていて、さらに、
バッグを形成するための外装またはソックスの形をしていて、プラスチック・フィルムでできている被覆を収容するための収容コンパートメントであって、上記被覆が、好適には、折り畳んだ形で収容コンパートメントに内蔵されていて、上記コンパートメントが、上記容器の頂部、好適には、その内部の頂部に位置している収容コンパートメントと、
上記バッグを形成するために、上記容器の内側の上記収容コンパートメントから、好適には、上記容器の底部まで、上記被覆を供給するのに適している駆動手段と、
上記コンパートメントから出てくる上記被覆から、上記バッグを形成することができ、その後で、バッグが廃棄物で満たされた場合、上記バッグを閉じ、上記被覆の残りの部分から切り離すことができる上記被覆を密封し、切断するために、好適には加熱密封および高温切断により動作することが好ましい密封および切断手段とを備え、
上記収容コンパートメントが、そこを通して廃棄物を上記バッグに導入することができる上記容器の頂部中央オリフィスを形成するように配置されている廃棄物を収集するための装置に関する。
【背景技術】
【０００３】
特許文献１は、駆動手段が、永久的基板上の容器の中央領域内に相互に対向して設置される回転ローラであるタイプの廃棄物収集装置を記載している。上記ローラは、頂部収容コンパートメントから供給されるプラスチックの外装を連続的に押しつける。廃棄物が容器の上から落下すると、廃棄物が通過できるように上記ローラは互いに分離するが、外装および廃棄物に引き続き圧力を加え、それにより外装と廃棄物の両方が運ばれる。ローラから外装上に連続的に圧力を加えることにより、容器をいつでも閉ざしておくことができる。廃棄物が容器の内部に運ばれると、必ず外装材料がその収容コンパートメントから供給される。
【０００４】
特許文献１に記載されている装置は、特に、１つのパッケージを形成するのに必要かつ十分なある長さの被覆を供給しながら、廃棄物の品目を個々に駆動し、粉砕した後で、１回の動作で廃棄物の品目を包装するためのものである。
【０００５】
この装置は、容器内に収集される廃棄物が、粉砕または破壊に適していない場合、特に廃棄物が悪臭を放つ場合、または収集中に廃棄物が機械的に接触するとますます厄介なことになり、大きな欠陥となる恐れがある場合の使用には適していない。
【０００６】
それ故、本発明の装置は、プラスチック・フィルムを上記容器内で供給することができるようにし、それをバッグの形にして上記容器の底部に置くことができるようにし、これをオペレータが手動で介入しなくても自動的に行うことができるようにする。上記容器内で包装されるソックスの形をしているプラスチック・フィルムにより、密封ライン特に加熱密封ラインを生成するタイプの密封装置により、または同じ機能を行う任意の他の密封または切断方法により、その底部および頂部を閉じることができるバッグを供給すること
ができる。
【発明の開示】
【発明が解決しようとする課題】
【０００７】
本発明の目的は、また、上記廃棄物と上記プラスチック・ビン・ライナー・バッグ以外の上記装置部分を全然接触させないで、廃棄物を収集し、包装するための装置を提供することである。もう１つの目的は、廃棄物で部分的に満たされた場合、このようなバッグの内部から出る臭気すべての広がりをできるだけ抑え、または実際に外部に漏れるのをできるだけ抑えることである。
【０００８】
本発明のもう１つの目的は、上記バッグを最適に満たすことができるようにすることにより廃棄物をできるだけ効率的に収集し、包装することである。
本発明のもう１つの目的は、バッグの人手による処理を全然必要としないで、できる限り自動化される動作を行う収集および包装装置を提供することである。
【課題を解決するための手段】
【０００９】
そうするために、本発明は、プラスチック・ビン・ライナー・バッグが設置されている容器を備える上記タイプの廃棄物収集装置を提供する。上記装置は、
さらに、そこを通して上記バッグ内に廃棄物を導入することができる上記容器の頂部内の上記中央オリフィスを開閉するための手段を備えていて、上記中央オリフィス上である種の廃棄物のような物品が検出された場合にトリガされて上記中央オリフィスが開き、上記中央オリフィスが、その上の廃棄物が導入される２つの場合の間は閉鎖状態に維持され、上記駆動手段の上に位置している上記中央オリフィスを開閉するための手段を備えることと、
上記駆動手段が、
上記被覆の開いている２つの縁部と接触しないで、廃棄物をその中に導入することができるバッグの頂部縁部内に開口部を形成する係合から外れた位置に位置させるのに適していることと、
上記バッグを運ぶことができ、そうしたい場合には、上記容器の底部に下降させることができるように、上記容器の中央領域内の上記コンパートメントから出てくる上記プラスチック・フィルム被覆を捕捉するために移動するのに適していることを特徴とする。
【００１０】
より詳細に説明すると、上記駆動手段は、上記収容コンパートメントの下の上記容器内に位置する第１のローラから構成される。上記収容コンパートメントは、そこを通して、上記廃棄物を上記バッグ内に導入することができる上記容器の頂部中央オリフィスを形成するように、上記容器の内部周辺部に対向して位置する。上記第１のローラは、上記容器の中央領域内の上記コンパートメントから出てくる上記プラスチック・フィルム被覆を捕捉し、上記第１のローラを回転することにより上記バッグを駆動し、上記容器の底部に下降させることができるまで、上記容器の２つの対向側面から移動するのに適している。
【００１１】
さらにより詳細に説明すると、上記第１のローラは、相互に水平方向を向いて上記容器の２つの対向側面に対してまたは近くに平行に配置されていて、その水平軸に垂直な方向に、上記バッグの頂部縁部と接触しないで、上記中央開口部オリフィスを通して上記バッグ内に廃棄物を導入することができる係合から外れた位置から、第１のローラが上記被覆を捕捉し、それを駆動することができ、そうしたい場合には閉じることができる上記容器の中心に向かう閉鎖位置に、水平方向に並進しながら機械的に移動するのに適している。
【００１２】
本発明によれば、被覆内への開口部は、廃棄物がバッグ内に導入され、廃棄物がバッグ内に導入される場合に何の障害物にも遭遇しない場合に最大になる。さらに、以下に説明するように、バッグが廃棄物で満たされた場合に、バッグの頂部開口部が密封されるまで
行う必要がない以降のオプションとしての突き固めを行う前に、廃棄物は接触圧力を全然受けない。
【００１３】
より詳細に説明すると、好適には加熱密封および高温切断を使用することが好ましい上記密封および切断手段は、下記の工程、すなわち、
ａ）上記バッグを上記容器の底部に下降させる前に、上記バッグの底部を形成するために、上記収容コンパートメントから出てくるソックスの形をしている上記被覆の開放縁部を閉じる工程と、
ｂ）廃棄物で完全にまたは一部が満たされているバッグを閉じる工程と、
ｃ）好適には、上記の満杯のバッグの頂縁部の密封閉鎖部に対応するゾーン上で、上記プラスチック・フィルム被覆を切断することにより密封後に上記バッグを切り離す工程と、
ｄ）好適には、取り出すための満杯のバッグ内にハンドルを形成するために、上記閉鎖ゾーン上で上記バッグの頂縁部の一部を貫通する工程と、
ｅ）工程ｃ）で説明した上記切離し切断に対応するゾーン上で、またはそうしたい場合には、工程ｄ）で説明した上記ハンドル上で、加熱密封により上記コンパートメントから出てくる被覆の縁部の底端部を閉じる工程と
を実行することができることが好ましい。
【００１４】
都合のよいことに、上記駆動手段および上記密封および切断手段は、上記容器の頂部内に位置していて、上記バッグを上記容器の底部に下降する前に、およびそうしたい場合には、工程ｂ）内の上記満杯のバッグの頂縁部の上記閉鎖後または上記閉鎖と同時に、またそうしたい場合には、工程ｃ）およびｄ）の上記切断の後で、上記工程ａ）およびｅ）で上記バッグの底部を閉じるために、上記プラスチック・フィルムを密封することができるような方法で協力するのに適している。
【００１５】
好適な実施形態の場合には、上記加熱密封および高温切断手段は、上記工程ａ）〜ｅ）を同時に行うのに適していて、好適には、平行に相互の方を向いて位置していて、上記容器の２つの対向側面から上記容器の中央領域に移動させ、上記２つの加熱密封および高温切断プレートの間にプラスチック・フィルム被覆を捕捉するのに適している２つの加熱密封プレートを備えることが好ましい。
【００１６】
より詳細に説明すると、上記加熱密封および高温切断プレートは、それぞれ上記第１の駆動ローラの下に配置されていて、上記容器の底部に上記バッグを置くことができるように、上記２つの第１の駆動ローラが回転した場合に、上記加熱密封および高温切断プレートが、上記バッグが通過し、その間を下降することができるように間隔を置いて位置するように相互に協力するのに適している。
【００１７】
より詳細に説明すると、上記加熱密封および上記高温切断プレートは、それぞれ上記第１の駆動ローラの下に配置され、それに固定されていて、上記第１のローラは、柔軟な方法で装着されていて、そのため、これらのプレートが上記被覆を捕捉している位置にある時、上記２つのプレート間に捕捉されている上記被覆の上記加熱密封および上記高温切断を行うために、上記加熱密封および高温切断プレートが、上記容器の中心で相互に依然として移動することができる。
【００１８】
本発明の他の有利な特性によれば、装置は、廃棄物でその一部または全体が満たされた場合、バッグを形成しているフィルムに対して圧力を加えるのに適している突固め手段を含む。上記圧力は、バッグの外側に加えられる。
【００１９】
これらの突固め手段は、廃棄物がバッグ内に導入された後で、バッグの開口部が密封さ
れる直前に動作をスタートするので、被覆を駆動するための手段から分離しているか独立している。
【００２０】
突固め装置により、バッグ内の廃棄物の量を低減することができ、それによりバッグ材料の消費を低減することができ、バッグを使用することができる時間を長くすることができ、それによりバッグを交換する頻度を低減することができる。これらの突固め手段は、オプションとしての部材であり、手動でも動作させることができるが、好適には自動的にトリガされるものであることが好ましい。
【００２１】
より詳細に説明すると、上記突固め手段は、上記加熱密封および高温切断手段の下に位置するピボット装着の突固めバーを備えていて、休止位置からピボット回転するのに適している。この休止位置において、上記バーは、その底端部のところに位置する各ピボット軸を中心にして回転することによる傾斜位置に、上記容器の各対向側面に対して配置されている。上記底端部は、上記バーの頂端部が上記容器の中央領域に達するまで、上記容器の上記各対向側面に対して固定されている。
【００２２】
好適には、上記突固め手段は、上記バッグが半分以上満たされた場合にすぐ、光電池またはセンサにより自動的に作動することが好ましく、好適には、上記バッグ内に廃棄物が新たに導入される度に、また次に上記バッグが満杯になった時に、上記突固め手段が、上記廃棄物で満杯になったバッグを閉じるために、そうしたい場合には、上記バッグを切り離すために、上記加熱密封および／または高温切断の後まで突固め位置に維持されることが好ましい。
【００２３】
都合のよいことに、上記突固め手段のアームは、上記の突固め手段のストリップが、上記の突き固めていない廃棄物で満たされた上記バッグに遭遇した場合、上記突固め手段のストリップが変形し、それにより上記プラスチック・バッグが損傷するのを防止し、上記突固め手段のストリップの上記ピボット回転運動が、所定の突固め圧力に対応する抵抗に遭遇した場合に中断されるように、硬質のフレームを横切って延びる柔軟なまたはやや硬質のストリップを含む。
【００２４】
本発明の他の有利な特性によれば、装置は、そこを通して上記バッグ内に廃棄物が導入される上記容器の頂部内の中央オリフィスを開閉するための手段を含む。上記開閉手段は、廃棄物が導入される２つの場合の間、上記容器が閉鎖状態に維持されるように、また廃棄物のような物品が上記中央オリフィスに対応する位置上に存在する場合、上記中央オリフィスを開くように光電池またはセンサにより自動的に制御される。
【００２５】
また都合のよいことに、上記開閉手段は、上記収容コンパートメント上の上記容器の２つの対向側面に対向してそれぞれ配置されている２つの第２のローラ間に巻かれた移動ストリップを備えていて、上記第２のローラが回転すると上記ストリップが移動する。上記移動ストリップは、好適には上記中央オリフィスとほぼ同じ形をしていることが好ましい開口部を含む。そのため、上記の開口部が上記中央オリフィスと一致すると、上記容器が開いて廃棄物を導入することができ、上記ストリップの中実部分が、上記頂部の中央オリフィスを完全にカバーすると、上記容器は閉まり、それにより上記廃棄物は上記容器内に閉じ込められる。
【００２６】
本発明の他の有利な特性によると、上記バッグはボックス内の上記容器の底部の正しい位置に置かれる。上記ボックスは、上記容器の側面のうちの１つの少なくとも底部に固定され、上記ボックスは、上記ボックスに固定されている容器の側面の上記底部を引っ張ることにより上記バッグを取り出すことができるスライダ手段上に位置する。
【００２７】
本発明の他の有利な特性によると、本発明の装置は、下記の種々の工程を、上記光電池またはセンサから受信する情報の関数として制御し、同期することができる電子手段を備えることを特徴とする。
【００２８】
本発明は、また、本発明の装置により廃棄物を収集するための方法を提供する。
より詳細に説明すると、廃棄物を収集するための本発明の方法は、下記の工程、すなわち、
１）上記密封および切断手段（１０１，１０２）により、上記バッグの底部を形成するために上記被覆を密封および切断する工程と、
２）上記駆動手段（６１，６２）により、好適には、上記容器の底部の方向に、上記容器の内部で上記バッグを駆動する工程と、
３）上記駆動手段が廃棄物をその中に導入することができるバッグの頂縁部のところに開口部を形成する係合から外れた位置に上記駆動手段を置く工程と、
４）上記中央オリフィス（１２）上で廃棄物を検出した場合はいつでも、上記開閉手段（１７，１８１，１８２）により上記中央オリフィス（１２）を開く工程と、
５）上記の開いている中央オリフィス（１２）を通して上記廃棄物を挿入し、上記バッグの底部に上記廃棄物を収集する工程と、
６）工程２）で開いている上記中央オリフィス（１２）を通して上記廃棄物が導入された直後に、中央オリフィス（１２）を開閉するための上記手段（１７，１８１，１８２）により上記中央オリフィス（１２）を閉じる工程と、
７）そうしたい場合には、上記突固め手段（１４１，１４２）により上記バッグを突き固める工程と、
８）廃棄物で満杯になった場合に、上記密封および切断手段（１０１，１０２）により上記バッグの頂縁部を密封および切断する工程と、
９）そうしたい場合には、上記容器から上記バッグを取り出す工程と
を連続的に行うことにより実行される。
【００２９】
本発明の他の特徴および利点は、図１〜図８を参照しながら下記の詳細な説明を読めば理解することができる。
【発明を実施するための最良の形態】
【００３０】
廃棄物収集装置は、プラスチック・ビン・ライナー・バッグ２が正しい位置に置かれている容器１を備えていて、
上記容器（１）の頂部内に位置するコンパートメント（４）に内蔵されているプラスチック・バッグ（２）を形成するための被覆（２１）を駆動するためのものであり、上記容器（１）の上記収容コンパートメント（４）から底部（１１）に上記バッグを供給する働きをする駆動手段（６１，６２）と、
好適には、上記コンパートメント（４）から出てくる上記被覆を密封するために、加熱密封および高温切断により動作し、次に、廃棄物（２０）で満杯になった場合、上記バッグ（２）を閉鎖し、上記被覆の残りからそれを切り離す密封および切断手段（１０１，１０２）とを備えることを特徴とする。
【００３１】
本発明の廃棄物収集装置は、廃棄物を含むバッグを突き固めるための突固め手段（１４１，１４２）、および収集装置の頂部を通して廃棄物が導入される中央オリフィスを開閉するための手段（１７，１８１〜１８４）を含む。
【００３２】
もっと正確に説明すると、本発明の廃棄物収集装置は、バッグを形成するためにその内部に置かれたプラスチック被覆２を有する長方形の平行六面体の形をしている硬質の容器１を備える。
【００３３】
プラスチック・バッグ２は、それを保持するための働きをし、バッグ２が破損した場合、廃棄物２０を収容することができ、最後に上記のようにバッグ２を取り出す働きをする底部ボックス３内の容器１の底部１１上に位置する。
【００３４】
その頂部において、容器１は、支持部を形成している平らな周辺フレーム５上に位置する周辺収容コンパートメント４を有する。上記収容コンパートメント４は、特にポリエチレン・フィルムのプラスチック・フィルム２１を収容する働きをし、バッグ２を形成する働きをする。フィルム２１は、上記周辺コンパートメント４内に畳んだソックスの形で収容されている。上記コンパートメントは、上記フィルムを供給し、ソックスの形で送り出すことができる、周辺スロット（図示せず）を有する。周辺コンパートメント４は、容器１の底部１１に置かれた場合に、そこを通して廃棄物２０がバッグ２内に導入される容器１の頂部内に中央オリフィス１２を形成することを理解することができるだろう。
【００３５】
容器１は、そのコンパートメント４からプラスチック・フィルム２１を巻きほどくことによりバッグを正しい位置に置くための手段により内部に取り付けられている。上記手段は、下記のように配置されていて、動作する２つの上記第１の駆動ローラ６１、６２により構成されている。
【００３６】
上記第１のローラ６１、６２は、上記容器１の２つの対向側面１３、１４に沿って相互に向き合うように配置されている。すなわち、これらのローラは、相互に平行である。これらローラは、回転軸を形成しているそれ自身の縦軸を中心にして回転することができる。これらのローラは、横方向、すなわち、その軸に垂直な方向に、すなわち、上記容器１の他の２つの側面の方向に沿って並進運動により移動するのに適している。
【００３７】
バッグを駆動するための上記第１のローラ６１、６２は、上記サポート・フレーム５の下に装着されている２つの側面サポート・プレート７１、７２の間に装着されている。上記側面プレート７１、７２は、上記容器の２つの対向側面１３、１４の方を向いて位置していて、上記コンパートメント４が形成する上記頂部中央オリフィス１２を開放状態に維持するために、容器の他の２つの対向側面１５、１６に沿って配置されている横方向のロッド８１、８２および１６１、１６２により相互に接続している。これらのガイド・ロッドは、それに沿ってキャリッジが移動することができるウォームスクリューにより構成される。２つのキャリッジ９１、９２は、第１のガイド・ロッド８１、８２それぞれに沿って移動し、各キャリッジは上記各第１の駆動ローラ６１、６２の端部に固定されていて、それにより上記第１のローラ６１、６２は、上記バッグを構成しているプラスチック・フィルム４を捕捉するために、容器１の側面１３、１４から容器の中心の方向に移動することができる。上記駆動ローラの少なくとも一方６１は、第１のモータ６３に取り付けられていて、またその端部の一方に固定されていて、それを回転することができる。上記モータ駆動の第１のローラ６１は、シャフトおよび上記各駆動ローラ６１、６２の各端部に固定されていて、それにより上記２つのローラ６１、６２が接触した場合に歯車装置になる２つのはめば歯車により、第２の駆動ローラ６２を回転することができる。第１のローラ６１、６２のシャフトは、その端部のところで２つの側面ガイド・ロッド８１、８２、およびバッグ２を構成するプラスチック・フィルムの厚さの関数として、相互に対して上記第１のローラ６１、６２間の間隔を変化させる働きをする部材６４が内蔵している戻しバネにより、第１のキャリッジ９１、９２上に装着されている。
【００３８】
上記第１のローラは、被覆を形成する外装を巻きほどくことができ、それ故、収集装置の底部の方向に下降することができるが、これらローラが反対方向に回転した場合、これらローラも、それが含む廃棄物に対して使用する外装の長さを最適化したい場合、外装材料を節約するために、すなわち、廃棄物の周囲に密着して外装を密封するために外装を上に上げることができる。第１のローラの間隔が開いている場合には、これらのローラは、
正方形の断面の大きなバッグ開口部を形成し、廃棄物がバッグ内に落下し易くなる。上記駆動ローラ６１、６２を柔軟に装着すると、以下に説明するように、正しい位置に置かれる前に、被覆を形成していて、それ故バッグの底部を形成しているプラスチック・フィルムの端部の縁部を密封するためのプラスチック・フィルムの加熱密封および高温切断を行うことができる。
【００３９】
フィルム２１は、最初、柔軟な開放管状被覆の形で、そのコンパートメント４から出る。上記容器１も、容器１の底部に向かって巻きほどく前にバッグの底部を形成するために、ケースを密封することができる加熱密封および高温切断手段１０１、１０２を備える。それ故、加熱密封および高温切断手段１０１、１０２は、２つの加熱密封および高温切断プレート１０１、１０２を備える。これらの２つの加熱密封および高温切断プレート１０１、１０２は、上記第１の駆動ローラ６１、６２の下に装着されていて、これらローラおよび上記第１のキャリッジ９１、９２に固定されている。それ故、上記加熱密封および高温切断プレート１０１、１０２は、同じキャリッジ９１、９２により、横方向にウォームスクリューからなる２つの横方向ガイド・ロッド８１、８２に沿って移動することにより、容器１の対向側面１３、１４から容器の中心方向へ移動する。しかし、上記加熱密封および高温切断プレート１０１、１０２は、上記駆動ローラ６１、６２に対して少しばかり約１センチメートル（ｃｍ）後方にズレていて、そのため、上記第１の駆動ローラ６１、６２が相互に接触すると、上記加熱密封および高温切断プレート１０１、１０２の間に隙間ができ、バッグ２を巻きほどくことができ、容器１の底部１１につくまで上記プレート１０１、１０２の間を通過することができる。上記第１の駆動ローラ６１、６２は、戻しバネ６５の上に柔軟に装着されているので、中心方向にキャリッジ９１、９２を連続的に移動することにより、加熱密封および高温切断を行うために、上記プレート１０１、１０２を依然として上記相互の方向に移動することができる。このような移動は、上記駆動ローラを横方向に移動できるように装着するという方法で行うことができる。
【００４０】
プラスチック・フィルム２は、下記の状況下で加熱密封および高温切断することができる。
１）最初に、装置を最初に使用した場合、すなわち、バッグが最初に正しい位置におかれた場合、容器１の底部に置く被覆フィルムの全長を巻きほどくまえに、バッグの底部を形成するために加熱密封により被覆が閉じられる。
【００４１】
２）その後で、バッグが満杯になると、加熱密封および高温切断プレートが下記の目的のため作動する。
ａ）バッグの頂部開口部を加熱密封し、それによりバッグを閉じるため。
【００４２】
ｂ）このようにして閉じたバッグを、閉じる前はバッグにつながっていた上に位置するフィルムから切り離すため（この切離しは高温切断により行われる）。
ｃ）先行する廃棄物で満杯になったバッグ２を取り出した後で、正しい位置に置かれる、すなわち、容器１の底部１１に下ろされる以降のバッグの底部を形成する目的で、この方法で生成した開いている被覆を加熱密封するため。
【００４３】
ｄ）廃棄物で満杯になったバッグの縁部の頂部内であって、加熱密封したラインの上に位置するスロットを形成するため（上記スロットは高温切断により形成される）。
上記動作ａ）〜ｄ）は、以下に説明するように、加熱密封および高温切断プレート１０１、１０２の構造体により同時に行われる。
【００４４】
第１の加熱密封および高温切断プレート１０１は、その底部側および頂部側に沿って延びる２本の縦方向の溝を有する。これらの溝は、バッグ頂部の底部およびバッグ底部の頂部縁部を加熱密封する働きをする金属で被覆された抵抗素子１１１および１１２を含む。
【００４５】
頂部素子１１１の下には、上記第１の加熱密封プレート１０１に固定されていて、２つの固定孔部１３１、１３２の間を延びる第１のヒータ・ワイヤ１２１が位置する。この第１のヒータ・ワイヤ１２１は、上記加熱密封および高温切断プレート１０１および１０２が接触するように相互に押しつけられた場合、上記第２の加熱密封および高温切断プレート１０２の第１のスロット１０４内に収容されることにより第２の加熱密封プレート１０１と協力する。これにより、フィルムが切断され、上記２つのプレート１０１および１０２が接触した場合、第１のスロット１０４内に収容されるように、上記フィルム２および上記第２のプレート１０２を通るワイヤによる高温切断により２つのバッグを分離する。第２のヒータ・ワイヤ１２２は、上記第１のヒータ・ワイヤ１２１の下に位置していて、上記第１のヒータ・ワイヤ１２１より短い距離を延びる。この第２のヒータ・ワイヤ１２２は、上記第２の加熱密封プレート１０２の第２のスロット１０５と協力する。上記第２のスロット１０５は、上記第２のヒータ・ワイヤ１２２と正確に位置合わせされるように置かれ、第１のヒータ・ワイヤ１２１および第１のスロット１０４からなるアセンブリと同じ方法で動作する。上記第２のヒータ・ワイヤ１２２は、高温切断により廃棄物で満杯のバッグ２の頂部縁部にハンドル２１を形成するために、上記第２のスロット１０５と協力する。このバッグは、上記底部の第２の素子１１２により加熱密封することにより同時に閉じられる。
【００４６】
当然、バッグの密封および切断は、本発明の範囲から逸脱することなしに、加熱密封および高温切断以外の方法で行うことができる。
本発明の廃棄物収集装置は、さらに、バッグの全部または一部が廃棄物２０で満たされると、バッグ１を突き固めるための突固め手段１４１、１４２および１５１、１５２、１６１、１６２、１６３、１６４を備える。
【００４７】
突固め手段は、容器１の対向側面１３、１４の内壁部の方を向いているピボットにより装着されている突固め手段のアーム１４１、１４２を備える。これらの突固め手段のアーム１４１、１４２は、上記突固め手段のアーム１４１、１４２の底端部のところに位置するそのピボット軸１４３、１４４を中心にしてピボット回転する。上記底端部は、上記容器１の上記対向側面１３、１４に対してそれぞれ固定されていて、そのため、その頂端部をピボット回転させることにより相互の方向に傾斜させ、移動させることができ、その底部でバッグ２の壁部の外側に押しつけられる。これにより、上記廃棄物に触れないで、バッグ２内の廃棄物２０が突き固められる。
【００４８】
動作に入る前の休止位置においては、上記突固め手段のアーム１４１、１４２は、容器１の側面に対してほぼ垂直に位置しているため、バッグの開口部を解放し、廃棄物２０を上記バッグ内に導入することができる。
【００４９】
上記突固め手段のアーム１４１、１４２は、下記の機構による用途の場合、ピボットにより支持されている。上記突固め手段のアーム１４１、１４２の頂端部は、容器１の中心の方向に移動することができる。何故なら、これらアームは、変形することができる平衡六面体の形をしているリンク・アーム１５１、１５２を通して横方向に配置されていて、上記側面サポート・プレート７１、７２を一緒に結合する働きをする第２の横方向を向いている、ガイド・ロッド１６１、１６２に接続しているからである。上記第２の横方向ロッド１６１、１６２は、上記第１の横方向ロッド８１、８２の下、および上記加熱密封および高温切断プレート１０１、１０２の下に位置していることを理解することができるだろう。上記第２の横方向ロッド１６１、１６２は、第２のモータ１６３を支持していて、各横方向ロッド１６１、１６２に沿って２つのキャリッジ１６４、１６５を移動することができるウォームスクリューからなる。各キャリッジは、このリンク・アーム１５１、１５２の一方の端部に固定されている。上記突固め手段のアーム１４１、１４２のピボット
回転は、上記第２のキャリッジ１６４、１６５、およびそれ故上記リンク・アーム１５１、１５２が容器の中心の方向に移動する場合に行われる。上記突固め手段のアーム１４１、１４２の固定底端部１４３、１４４は、バッグ２の高さの約半分のところに位置する。
【００５０】
バッグ２が廃棄物で２／３まで満たされると、第１の突固め動作が行われる（図３）。その後で、そうしたい場合には、ビン・ライナー・バッグ２の内部に新しい廃棄物が導入される度に、新たな突固め動作が行われる。最後に、ビン・ライナー・バッグ２が満杯になったと見なされた場合、最後の突固め動作が行われる（図４）。最後の突固め動作中、突固め手段のアーム１４１、１４２は、切り離すためにバッグを加熱密封により閉じ、高温切断することができるように、突固め位置に傾斜したままの状態になる。次に、上記突固め手段のアームは、加熱密封および高温切断動作が終了した後で、容器１の上記対向側面１３、１４に対してほぼ垂直な休止位置に戻る。
【００５１】
突固め動作中、バッグが損傷するのを避けるために、ピボット回転する突固め手段のアームは、硬質フレームからなり、上記各フレームは、上記フレームの内部１４５を横切って延びている柔軟なまたは準硬質のストリップ（図示せず）を支持している。この実施形態を使用すれば、上記柔軟なまたは準硬質のストリップにより突固め圧力を加えることができ、それにより圧力を加えている間ストリップを変形させ、その内部に突固められていない何らかの廃棄物２０が存在する場合、バッグ２が損傷するのを防止する。さらに、突固め手段のアーム１４１、１４２のピボット回転を駆動しているモータ１６３は、圧力がある所与のしきい値を超えた場合に、突固め手段のアームを切り離すことができる装置を備える。この場合、上記圧力のしきい値は、収集する廃棄物の性質により調整することができる。
【００５２】
突固め手段のアーム１４１、１４２は、当然、ウォームスクリュー１６１、１６２により構成される上記第２の横方向ロッドにより案内される、リンク・アーム１５１、１５２のシステム以外の機構によりピボット回転することもできる。
【００５３】
本発明の廃棄物収集装置は、またその頂部に、センサ（図示せず）、特に例えば、距離を測定するための周知の技術により、ビン・ライナー・バッグが満たされたレベルを感知することができる超音波センサを備える。それ故、廃棄物２０とセンサとの間の距離が、２／３まで満たされたバッグに対応する値になった場合、上記突固め手段のアーム１４１、１４２は自動的に作動する。同様に、そうしたい場合には、廃棄物の頂部の高さを変化させる廃棄物２０が導入される度に、新たな突固め動作が自動的に行われる。最後に、センサがビン・ライナー・バッグ２が満杯になったことを検出すると、突固め手段のアーム１４１、１４２は、傾斜した突固め位置に維持され、加熱密封および高温切断プレート１０１、１０２は、すでに説明したように相互に接触するように自動的に移動することにより作動する。
【００５４】
しかし、突固め手段のアーム１４１、１４２の作動を任意に変えることができることに留意されたい。それ故、ある種の病院用の用途の場合には、廃棄物を突き固めてはならない。このような場合には、本発明の収集装置は、バッグが満杯になったらバッグを突き固めないで、加熱密封によりバッグを閉じれば十分である。
【００５５】
以下に説明するように、満杯になったバッグを加熱密封し閉じた後で、満杯になったバッグが容器１の外部に取り出されると、この方法により生成された新しいバッグ２が巻きほどかれ、同様に自動的に正しい位置に置かれる。
【００５６】
満杯になったビン・ライナー・バッグ２は下記のように移動する３２。底部ボックス３は、引出し３１のように容器１の前部からスライドして出ることができるように、支持ス
ライド路上にスライド可能に装着されている。
【００５７】
満杯になる前にバッグを取り出す場合には、引出し３１を開けると、突固め手段のアーム１４１、１４２のような本発明の収集装置の種々の素子を作動するためのモータが自動的に切り離される。この取出し３２は、手動で行われるが、自動制御の下でモータ駆動により行うこともできる。
【００５８】
衛生上の理由から、また本発明の有利な特性により、廃棄物収集装置は、容器１の頂部の開閉を、すなわち、容器１の内部の正しい位置にあるバッグ２の開口部へのアクセスを自動的に制御するための装置と一緒にその頂部に取り付けられる。廃棄物２０が本発明の収集装置内に導入される２つの機会の間に、容器の頂部が閉じられ、そのためバッグ２がまだ満杯になっていないで、そのため依然として開いている場合でも、容器内に廃棄物が閉じ込められる。
【００５９】
容器１の頂部を開閉するための装置は、容器１の２つの対向側面に対して、および折り畳んだフィルムを収容するための上記コンパートメント４上に、それぞれ配置されている２つの第２のローラ１８１、１８２間を移動する移動ストリップ１７により構成される。移動ストリップ１７は、周辺コンパートメント４およびその上に位置する上記周辺支持フレーム５が形成する中央開口部１２と同じ形の開口部を含む。移動ストリップ１７が、上記第２のローラ１８１、１８２間を移動し、上記移動ストリップ１７の上記開口部が容器１の頂部の上記中央開口部１２と一致し、上記容器１が開くと、バッグ２内に廃棄物２０を導入することができる。ストリップ１７の中実部分が容器１の上記中央開口部上にくるように、移動ストリップ１７が移動すると、容器は閉じ、もはやバッグ２内に廃棄物２０を導入することができなくなる。
【００６０】
第３のモータ１８４は、上記第２のローラ１８１を回転し、それにより端部プーリ・ホイール１８３を通して、上記第２のローラ１８１、１８２のシャフトを相互に接続している横方向接続ベルト１８５により、上記第２のローラ１８２を回転する。上記モータ１７１を作動すると、２つのローラ１８１、１８２が回転し、それにより、容器１上を移動している廃棄物２０の存在、または同様に容器１の閉じた開口部上に位置するオペレータの手のような任意の他のものの存在を検出する光電池またはセンサ（図示せず）により容器１の開きが検出されるまで、ストリップ１７は移動する。その後で、数秒間開いた後で、容器１が同様に自動的にトリガされて閉じる。
【００６１】
本発明の範囲から逸脱することなしに、上記とは異なる容器１を開閉するための、特に傾斜閉鎖蓋を含む頂部システム１７を設置することができる。しかし、水平移動ストリップを備える本発明のシステムは、移動する空気の量を最小限度に低減し、それにより廃棄物で満杯になったバッグの内外の空気の変化を最小限度に低減するという利点を有する。病院で使用する場合、この水平開口システムは、潜在的な汚染問題を防止する。
【００６２】
容器１の頂部を開閉するために、上記移動ストリップを移動することができる上記第２のローラ１８１、１８２は、上記周辺コンパートメント４の上に位置していて、古いフィルムを使い果たした場合に、新しい折り畳んだフィルム２１を設置するために、そこにアクセスするための中空の周辺蓋１９内に収容される。上記中空の蓋１９の側面の１つは、傾斜させることにより上昇１９２させることができるようにヒンジ１９１上に装着されている。
【００６３】
本発明の重要な利点は、バッグを巻きほどく手段であろうと、加熱密封のための手段であろうと、または突き固めるための手段であろうと、使用するすべての手段が、バッグ２の壁部を形成しているプラスチック・フィルムの被覆の外部から作動することであり、そ
のために上記廃棄物２０と接触しないことである。このことは衛生も保証する。それ故、廃棄物は、いつでも、実施した種々の手段と接触しないで、バッグ内に直接落下する。
【００６４】
本発明の収集装置は、上記センサから受信する情報の関数として、上記第１のローラ６１、６２、上記第２のローラ１８１、１８２を回転させ、または上記第１のローラ６１、６２および上記加熱密封プレート１０１、１０２を移動させ、および／または上記突固め手段のアーム１４１、１４２をピボット回転させる種々のモータを制御するための電子カード（２２）を含む。
【００６５】
さらに、電子カードは、また、上記容器１からバッグを早期に任意に取り出す３２際に、種々の加熱密封手段および突固め手段等の切離しも制御する。
それ故、電子カードは、本発明の廃棄物収集装置の安全機能および動作機能の両方を管理する。
【００６６】
容器１の開きを監視するためのセンサも、上記開放が不正確に導入された廃棄物により決して妨害されないように機能することに留意されたい。
最後に、本発明の装置は、そうしたい場合には、すなわち、加熱密封によりバッグを閉じ、それを取り出すことができるようになる前に、バッグが満杯になるまで待たないで廃棄物が導入される度に１つの被覆を作るようにプログラムすることができることに留意されたい。もっと一般的に説明すると、取り出し中の満杯のバッグによりバルク収集が行われる。
【００６７】
本発明の廃棄物収集装置および包装装置は、家庭で使用する場合、または病院または飲食店のような収集使用の場合、そうしたい場合には、キッチンまたはバスルーム内に備え付けて、廃棄物用ビンとして有利に使用することができる。最後に、本発明の収集装置および包装装置は、廃棄物を仕分けすることができるように、複数の容器を並べてまたは同じ容器１内に複数のバッグ２を並べて収容するようにすることもできる。
【図面の簡単な説明】
【００６８】
【図１】本発明の廃棄物収集装置の斜視図。
【図２】正しい位置に位置していて、廃棄物で半分満たされているバッグを示し、突固め手段のアームが休止位置からズレている本発明の収集装置を中央で切断した断面図。
【図３】バッグの２／３が廃棄物で満たされていて、突固め手段のアームが突固め動作を行っている本発明の収集装置を中央で切断した断面図。
【図４】突固め手段のアームが突固め位置にあり、加熱密封プレートが加熱密封位置にある場合で、バッグが満杯になっている本発明の収集装置を中央で切断した断面図。
【図５】加熱密封および高温切断用の各プレート。
【図６】加熱密封および高温切断用の各プレート。
【図７】装置の頂部が、その蓋が上がった状態の満杯のバッグを取り出した場合の装置の底部。
【図８】そこを通して廃棄物が導入される、上記容器の頂部内の中央オリフィスを開閉するための手段の図面。
【図１】
2005534586.tif 000003
【図２】
2005534586.tif 000004
【図３】
2005534586.tif 000005
【図４】
2005534586.tif 000006
【図５】
2005534586.tif 000007
【図６】
2005534586.tif 000008
【図７】
2005534586.tif 000009
【図８】
2005534586.tif 000010
【国際調査報告】
2005534586.tif 000011
2005534586.tif 000012
2005534586.tif 000013
2005534586.tif 000014
2005534586.tif 000015
2005534586.tif 000016